(57)【要約】      （修正有）【課題】融着条件等の設定が容易な融着機及びこれに用いられるホルダを提供する。【解決手段】ホルダ２０の本体部２３には、ホルダの種類を識別可能な識別部３３が設けられる。識別部は、例えば、金属対応のＩＣタグなどであり、ホルダの種類に応じた情報が格納される。融着機のそれぞれのホルダ載置部１１には、ホルダに設けられた識別部を読み取ることが可能な判別部１３が設けられる。判別部は、例えばＩＣリーダである。ホルダをホルダ載置部にセットすると、判別部は、ホルダの識別部と対向する。このため、判別部は、ホルダ載置部に載置されたホルダの識別部を読み取ることが可能である。制御部４１は、判別したホルダの種類（光ファイバの種類）に応じた融着条件情報を記憶部４３から読みだすことが可能である。【選択図】図６
2020201367.tif 000002
【特許請求の範囲】
【請求項１】
光ファイバ同士を接続する融着機であって、
光ファイバを保持するためのホルダが、前記ホルダの種類を識別するため識別部を有し、
前記融着機は、前記ホルダの前記識別部を読み取る判別部と、前記判別部で読み取った前記ホルダの種類に応じた融着条件情報を選択する制御部とを有することを特徴とする融着機。
【請求項２】
前記ホルダを載置するホルダ載置部を有し、
前記判別部は、前記ホルダ載置部に載置された前記ホルダの前記識別部を読み取ることが可能であることを特徴とする請求項１記載の融着機。
【請求項３】
接続対象の光ファイバが保持された一対の前記ホルダが設置される一対の前記ホルダ載置部が設けられ、それぞれの前記ホルダ載置部に、前記判別部が設けられることを特徴とする請求項２記載の融着機。
【請求項４】
前記制御部は、前記判別部で読み取った一対の前記ホルダのそれぞれの種類に応じて融着条件情報を選択することを特徴とする請求項３記載の融着機。
【請求項５】
請求項１から請求項４のいずれかに記載の融着機に使用されるホルダであって、
前記ホルダは、光ファイバを設置する光ファイバ設置部を表面側に有する本体部と、前記本体部に対して開閉可能であり、前記光ファイバ設置部に配置された光ファイバを押さえることが可能な蓋部を有し、
前記識別部は、前記本体部に配置されることを特徴とするホルダ。
【請求項６】
前記識別部が、バーコード、二次元バーコード又はＩＣタグであることを特徴とする請求項５に記載のホルダ。
【請求項７】
前記識別部が、前記本体部の裏面側又は側面側に設けられた凹形状及び／又は凸形状であることを特徴とする請求項５に記載のホルダ。
【発明の詳細な説明】
【技術分野】
【０００１】
本発明は、取り扱い性に優れた融着機及びこれに用いられるホルダに関するものである。
【背景技術】
【０００２】
光ファイバ同士の接続には、融着機が用いられる。融着機は、一対のホルダに保持された光ファイバ同士を突き合わせて、電極間に配置し、アークによって光ファイバ同士の先端を融着して、光ファイバ同士を接続するものである。
【０００３】
一方、接続対象となる光ファイバには、様々な種類が存在する。例えば、複数の光ファイバが併設されたテープ心線や、様々な外径の光ファイバ心線が使用される。このように、それぞれの種類の光ファイバ同士を接続する際には、その光ファイバの径や芯数に応じた専用のホルダが用いられる。
【０００４】
このような融着機として、融着機に各種条件等を入力する操作部と、入力された各種設定やエラー警告などを表示する表示部とを備えるのが一般的である（例えば、特許文献１）。
【先行技術文献】
【特許文献】
【０００５】
【特許文献１】特開２０１１−９００３９号公報
【発明の概要】
【発明が解決しようとする課題】
【０００６】
従来の融着機では、専用のホルダに対象となる光ファイバを配置し、ホルダを融着機にセットした後、光ファイバの種類に対応する融着条件を入力して設定する。例えば、融着機の操作部によって、全光ファイバの種類のリストから、対象となる光ファイバを検索して選択するか、又は条件を手で直接入力する。このようにすることで、各種の光ファイバに適した融着条件を設定し、融着作業を行うことができる。
【０００７】
しかし、使用する光ファイバやホルダの種類が多くなると、融着条件の設定に時間を要する。例えば、融着機には、予め様々な光ファイバに対応した融着条件等が記憶されているが、それらを多くのリストの中から探すのに時間を要し、誤って選択すると、融着作業のやり直しが必要となる。このように、融着条件の設定に時間を要し、より容易に条件設定が可能な融着機が望まれる。
【０００８】
本発明は、このような問題に鑑みてなされたもので、融着条件等の設定が容易な融着機及びこれに用いられるホルダを提供することを目的とする。
【課題を解決するための手段】
【０００９】
前述した目的を達するために第１の発明は、光ファイバ同士を接続する融着機であって、光ファイバを保持するためのホルダが、前記ホルダの種類を識別するため識別部を有し、前記融着機は、前記ホルダの前記識別部を読み取る判別部と、前記判別部で読み取った前記ホルダの種類に応じた融着条件情報を選択する制御部とを有することを特徴とする融着機である。
【００１０】
前記ホルダを載置するホルダ載置部を有し、前記判別部は、前記ホルダ載置部に載置された前記ホルダの前記識別部を読み取ることが可能であることが望ましい。
【００１１】
接続対象の光ファイバが保持された一対のホルダが設置される一対の前記ホルダ載置部が設けられ、それぞれの前記ホルダ載置部に、前記判別部が設けられてもよい。
【００１２】
前記制御部は、前記判別部で読み取った一対の前記ホルダのそれぞれの種類に応じて融着条件情報を選択してもよい。
【００１３】
第１の発明によれば、融着機の判別部によって、ホルダに形成された識別部を判別可能であるため、ホルダを融着機にセットした際に、融着機がホルダの種類を把握することができる。このため、融着機は、ホルダの種類によって、融着対象の光ファイバの種類を判別することができる。
【００１４】
また、制御部によって、それぞれのホルダの種類に対応した融着条件情報が記憶された記憶部から、判別部で判別されたホルダの種類に応じた融着条件情報を読み出すことで、融着条件を自動的に設定することができる。また、例えば、融着条件の候補を絞り込んで表示させて、使用者によって選択可能とすることもできる。この場合でも、全リストから選択するのに比べて条件設定が容易である。いずれにしても、ホルダの種類に応じて効率よく条件設定が可能となるため、取り扱い性が良好である。
【００１５】
特に、ホルダを設置するホルダ設置部に判別部を設けることで、ホルダをホルダ設置部に設置した際に、ホルダの識別部を確実に読み取ることができる。
【００１６】
また、判別部が、一対のホルダ設置部にそれぞれ設置されれば、一対のホルダをそれぞれ判別することができる。このため、例えば、種類の異なる光ファイバ同士を接続するような場合でも、接続対象の光ファイバの組み合わせに応じた融着条件を容易に設定することができる。
【００１７】
また、第２の発明は、第１の発明に係る融着機に使用されるホルダであって、前記ホルダは、光ファイバを設置する光ファイバ設置部を表面側に有する本体部と、前記本体部に対して開閉可能であり、前記光ファイバ設置部に配置された光ファイバを押さえることが可能な蓋部を有し、前記識別部は、前記本体部に配置されることを特徴とするホルダである。
【００１８】
前記識別部が、バーコード、二次元バーコード又はＩＣタグであってもよい。
【００１９】
識別部が、前記本体部の裏面側又は側面側に設けられた凹形状及び／又は凸形状であってもよい。
【００２０】
第２の発明によれば、融着機で読み取るための識別部が、本体部に配置されるため、融着機にセットした際に、ホルダの種類を判別することが可能となる。
【００２１】
例えば、識別部がバーコード、二次元バーコード又はＩＣタグであれば、融着機に配置された電磁気的または光学的な判別部によって、非接触でホルダの種類を判別することができる。
【００２２】
また、例えば、本体部の裏面側又は側面側に設けられた凹形状及び／又は凸形状であれば、融着機に配置された接触式の判別部によって、ホルダの種類を判別することができる。
【発明の効果】
【００２３】
本発明によれば、融着条件等の設定が容易な融着機及びこれに用いられるホルダを提供することができる。
【図面の簡単な説明】
【００２４】
【図１】融着機１を示す斜視図。
【図２】融着機１の平面図。
【図３】ホルダ２０の斜視図。
【図４】ホルダ２０の側面図。
【図５】ホルダ２０が配置された融着機１の平面図。
【図６】融着機１の構成を示すブロック図。
【図７】（ａ）は、ホルダ２０ａを用いた場合を示す図、（ｂ）は、ホルダ２０ｂを用いた場合を示す図。
【発明を実施するための形態】
【００２５】
以下、図面を参照しながら、本発明の実施形態について説明する。図１は、光ファイバ同士を接続する融着機１を示す斜視図であり、図２は、融着機１の平面図である。融着機１は、光ファイバの融着を行う融着部５と、光ファイバの接続部の加熱を行う加熱部５ａと、融着部５及び加熱部５ａの操作を行うことが可能な操作部９と、各種の情報を表示する表示部１７を有する。
【００２６】
融着部５には、開閉可能な風防１５が配置され、内部には、一対のホルダ載置部１１が対向して配置される。ホルダ載置部１１は、後述するホルダが載置される部位である。また、ホルダ載置部１１の間には、ベース部３が配置される。ベース部３には、一対の電極７が配置され、電極７の間に、ホルダで保持された光ファイバの先端が突き合せられる。一対のホルダ載置部１１には、ホルダの種類を判別する判別部１３がそれぞれ配置される。なお、ホルダ及び判別部１３の詳細は後述する。
【００２７】
融着機１を用いて光ファイバを接続する際には、まず、融着部５の風防１５を開き、予め光ファイバが保持された一対のホルダを、内部のホルダ載置部１１にセットする。これにより、ホルダの先端から突出する光ファイバの先端が、一対の電極７間において互いに突き合わせられた状態となる。この状態で、風防１５を閉じ、一対の電極７の間にアークを発生させることで、光ファイバの先端部を溶融して接合することができる。
【００２８】
光ファイバ同士の融着が終了すると、光ファイバ同士の接続部に補強部材を配置し、光ファイバとともに加熱部５ａセットする。加熱部５ａにおいて、光ファイバの接続部に配置された補強部材を加熱することで、補強部材の熱収縮チューブが収縮して接続部に固定される。以上により、光ファイバの接続部が補強されて、接続作業が完了する。
【００２９】
ここで、光ファイバの種類等に応じて、融着部５における融着条件は異なる。このため、通常は、操作部９によって、接続対象の光ファイバ等の種類や、各種の条件設定の入力が行われる。また、これらの設定条件や、接続作業におけるエラー表示などは、表示部１７に表示される。なお、表示部１７がタッチパネル式の液晶パネルである場合には、表示部１７と操作部９とは一体で構成される場合もある。
【００３０】
次に、融着機１に使用されるホルダについて説明する。図３は、ホルダ２０を示す斜視図であり、図４は、ホルダ２０を示す側面図である。ホルダ２０は、本体部２３と、蓋部２５を有する。
【００３１】
本体部２３は、光ファイバが配置される部位であり、略直方体の部材である。本体部２３の幅方向の一方の側方には、本体部２３に対してヒンジにより開閉可能な蓋部２５が設けられる。本体部２３、蓋部２５は例えば金属製である。本体部２３の蓋部２５との対向面には磁石２９が配置される。蓋部２５を閉じると、磁石２９によって、蓋部２５が本体部２３に対して閉じた状態を維持することができる。なお、蓋部２５は、閉じた状態で蓋部２５の裏面と本体部２３の上面とが略平行となるように調整される。
【００３２】
蓋部２５の内面（本体部２３との対向面）には、押さえ部材２７が長手方向にわたって形成される。押さえ部材２７は、蓋部２５の内面から所定の量だけ突出する。押さえ部材２７は、本体部２３上に配置される光ファイバテープ心線を押圧して保持する部材である。したがって、蓋部２５を閉じることで、光ファイバ設置部３１に配置された光ファイバを押さえることが可能である。なお、押さえ部材２７は、例えば樹脂製等であり、光ファイバを傷つけない部材で構成される。
【００３３】
本体部２３の表面２３ａ（蓋部２５との対向面）には、光ファイバが配置される光ファイバ設置部３１が形成される。なお、本体部２３の表面２３ａとは逆側の面を裏面２３ｂとし、表面２３ａと裏面２３ｂとの間の各面（表面２３ａと裏面２３ｂに略垂直な面）を側面２３ｃとする。なお、図示した例では、光ファイバ設置部３１には、光ファイバテープ心線を配置可能であるが、光ファイバ設置部３１、蓋部２５、押さえ部材２７の形態は図示した例には限られない。
【００３４】
図４に示すように、光ファイバを保持するホルダ２０の本体部２３には、ホルダの種類を識別可能な識別部３３が設けられる。識別部３３は、例えば、金属対応のＩＣタグなどであり、ホルダ２０の種類に応じた情報が格納される。なお、識別部３３は本体部２３の裏面２３ｂ側に配置されることが望ましいが、これには限られず、例えば、本体部２３の側面２３ｃなど、他の部位に配置されてもよい。
【００３５】
次に、ホルダ２０の使用方法について説明する。前述したように、ホルダ２０の光ファイバ設置部３１に光ファイバを設置し、蓋部２５を閉じて押さえ部材２７で光ファイバを押さえることで、光ファイバがホルダ２０によって保持される。この状態で、本体部２３の先端側に突出する光ファイバの切断等が行われる。
【００３６】
次に、融着機１のホルダ載置部１１にホルダ２０をセットする。図５は、ホルダ２０をセットした状態の融着機１の平面図である。前述したように、融着機１には、ベース部３（電極７）を挟んで対向する位置に、一対のホルダ載置部１１が配置される。それぞれのホルダ載置部１１には、接続対象の一対の光ファイバ２４が保持されたホルダ２０がそれぞれ設置される。融着機１のそれぞれのホルダ載置部１１には、ホルダ２０に設けられた識別部３３を読み取ることが可能な判別部１３が設けられる。なお、判別部１３は、ホルダ載置部１１に配置されなくてもよく、ホルダ２０の識別部３３の位置に応じて、適宜配置すればよい。
【００３７】
図６は、融着機１の構成を示すブロック図である。融着機１は、融着部５、加熱部５ａ、操作部９及び表示部１７等を制御する制御部４１（ＣＰＵ）を有する。また、制御部４１には、記憶部４３が接続される。記憶部４３には、各種の光ファイバに応じた融着部５の融着条件情報や、加熱部５ａの加熱条件情報等を記憶可能である。
【００３８】
判別部１３は、例えばＩＣリーダである。ホルダ２０をホルダ載置部１１にセットすると、判別部１３は、ホルダ２０の識別部３３と対向する。このため、判別部１３は、ホルダ載置部１１に載置された２０ホルダの識別部３３を読み取ることが可能である。
【００３９】
判別部１３は、制御部４１に接続される。制御部４１は、識別部３３の情報（ホルダ種類）に対応したホルダ種類情報を記憶部４３から読みだして、ホルダ２０の種類を判別することができる。すなわち、判別部１３によって、識別部３３の情報を読み取ることで、ホルダ２０の種類を把握することが可能である。また、制御部４１は、判別したホルダの種類（光ファイバ２４の種類）に応じた融着条件情報を記憶部４３から選択する（読み出す）ことが可能である。
【００４０】
制御部４１は、選択された融着条件情報を表示部１７へ表示させることができる。使用者は、表示部１７に表示された融着条件を確認して、操作部９によって融着条件を設定することができる。
【００４１】
なお、制御部４１は、表示部１７への表示と共に、操作を行うことなく融着条件を直ちに設定してもよい。また、制御部４１は、表示部１７へ複数の融着条件を絞り込んで表示させて、使用者が選択可能としてもよく、また、使用者は、最適な融着条件に対して微調整を行って設定することもできる。
【００４２】
以上のように、ホルダ載置部１１にホルダ２０を載置するのみで、制御部４１によってホルダ２０（光ファイバ２４）の種類を判別し、適切な融着条件を容易に設定することができる。このように、融着条件が設定された状態で、融着機１の風防１５を閉じることで、設定された条件で融着が自動的も行われる。
【００４３】
また、制御部４１は、融着した光ファイバ２４の種類に応じた加熱条件情報を記憶部４３から読みだすことも可能である。例えば、制御部４１は、光ファイバ２４の種類に紐づけられた熱収縮チューブの情報を読み出し、この熱収縮チューブの種類に応じた加熱条件を設定することができる。このため、融着後の光ファイバ２４を取り出し、加熱部５ａにセットすることで、設定された条件で加熱を行うことができる。
【００４４】
以上、本実施の形態によれば、ホルダ２０が、融着機１の判別部１３で判別することが可能な識別部３３を有するため、ホルダ２０をホルダ載置部１１に載置するのみで、融着機１はホルダ２０（光ファイバ２４）の種類を判別することができる。このため、接続対象となる光ファイバの種類に適した融着条件等を簡単に設定することができる。したがって、使用者が、一から光ファイバ種類等を選択し、又は、手で入力する必要がなく、条件設定が良好である。
【００４５】
特に、ホルダ２０は、本体部２３の裏面２３ｂに識別部３３が配置されるため、ホルダ載置部１１の判別部１３と確実に位置を合わせて対向させることができる。また、識別部３３がホルダ２０の取り扱い時に邪魔になることがなく、判別部１３が、ホルダ２０の設置の際に邪魔になることもない。
【００４６】
また、一対のホルダ載置部１１のそれぞれに判別部１３を設けることで、それぞれのホルダ載置部１１に載置されたホルダ２０の種類を別々に判別することができる。すなわち、一対のホルダ載置部１１のそれぞれに異なるホルダを載置した場合でも、ホルダの種類（組み合わせ）を把握することができる。
【００４７】
例えば、径の異なる光ファイバを接続する場合には、光ファイバの径に応じて、異なる種類のホルダが使用される。この場合には、一方のホルダ載置部１１に配置されるホルダと、他方のホルダ載置部１１に配置されるホルダが異なる。
【００４８】
ここで、記憶部４３には、同一種類の光ファイバ同士の融着条件情報のみではなく、異なる種類の光ファイバ同士の融着条件情報も記憶されている。また、同じ光ファイバの組み合わせであっても、どちらのホルダ載置部１１にどちらの光ファイバが設置されているかによって、融着条件は異なる。このため、一方のホルダ載置部１１に配置されるホルダと、他方のホルダ載置部１１に配置されるホルダの種類をそれぞれ把握することで、異なる種類の光ファイバの融着時にも適切な融着条件を設定することができる。すなわち、制御部４１は、判別部１３で読み取った一対のホルダのそれぞれの種類の組み合わせに応じて、適切な融着条件情報を選択することができる。
【００４９】
次に、第２の実施形態について説明する。図７（ａ）は、第２の実施形態に係るホルダ２０ａと判別部１３ａを示す図である。なお、以下の説明において、第１の実施形態と同様の構成については、図１〜図６と同一の符号を付し、重複する説明を省略する。
【００５０】
ホルダ２０ａは、ホルダ２０と略同様の構成であるが、識別部３３ａが用いられる点で異なる。識別部３３ａは、本体部２３に添付されたバーコード又は二次元バーコード（ＱＲコード（登録商標））が付されたシールである。なお、識別部３３ａは、例えば、本体部２３の裏面２３ｂに配置される。この場合、識別部３３ａの部位は、本体部２３の裏面２３ｂに凹部が形成され、凹部に識別部３３ａが添付される。このようにすることで、識別部表面が傷つくことを抑制することができる。
【００５１】
ホルダ載置部１１には、判別部１３ａが設置される。判別部１３ａは、識別部３３ａに対応する部位に配置される。判別部１３ａは、例えばバーコードリーダであり、レーザや画像の取得によって識別部３３ａの情報を取得することができる。
【００５２】
第２の実施形態によれば、第１の実施形態と同様の効果を得ることができる。また、本実施形態では、識別部３３ａはシールであってもよく、判別部１３ａは、光学的な手段によって識別部３３ａを読み取ることができる。このため、安価にホルダの判別を行うことができる。
【００５３】
次に、第３の実施形態について説明する。図７（ｂ）は、第３の実施形態に係るホルダ２０ｂと判別部１３ｂを示す図である。
【００５４】
ホルダ２０ｂは、ホルダ２０と略同様の構成であるが、識別部３３ｂが用いられる点で異なる。識別部３３ｂは、本体部２３に設けられた凹形状及び／又は凸形状である。例えば、本体部２３の裏面２３ｂ又は側面２３ｃに凹凸形状が形成される。この凹凸形状は、ホルダ２０ｂの種類に応じて異なる形態となる。
【００５５】
判別部１３ｂには、ピンが配置される。例えば、複数のピンが併設される。各ピンは独立してホルダ載置部１１の上面に出没可能である。例えば、ばね等によって、ピンはホルダ載置部１１の上方に突出する。
【００５６】
ホルダ載置部１１にホルダ２０ｂを載置すると、ピンが、ホルダ２０ｂ（本体部２３）の凹凸形状と接触する。この際、ホルダ２０ｂの底面の凸部と接したピンは、下方に押し込まれる。このように、各ピンの押し込みの有無や押し込み量を、図示を省略したセンサで検知することで、ホルダ２０ｂの種類を判別することができる。
【００５７】
第３の実施形態によれば、第１の実施形態と同様の効果を得ることができる。また、識別部３３ｂのように、凹凸形状を形成することで、シールの剥がれなどがなく、判別部１３ｂと識別部３３ｂを接触させて読み取ることができる。
【００５８】
なお、ピンで凹凸形状を判別するのではなく、レーザ等の光学的な手段によって凹凸形状を判別してもよい。
【００５９】
以上、添付図を参照しながら、本発明の実施の形態を説明したが、本発明の技術的範囲は、前述した実施の形態に左右されない。当業者であれば、実用新案登録請求の範囲に記載された技術的思想の範疇内において各種の変更例または修正例に想到し得ることは明らかであり、それらについても当然に本発明の技術的範囲に属するものと了解される。
【符号の説明】
【００６０】
１………融着機
３………ベース部
５………融着部
５ａ………加熱部
７………電極
９………操作部
１１………ホルダ載置部
１３、１３ａ、１３ｂ………判別部
１５………蓋部
１７………表示部
２０、２０ａ、２０ｂ………ホルダ
２３………本体
２３ａ………表面
２３ｂ………裏面
２３ｃ………側面
２４………光ファイバ
２５………蓋部
２７………押さえ部材
２９………磁石
３１………光ファイバ設置部
３３、３３ａ、３３ｂ………識別部
４１………制御部
４３………記憶部
【図１】
2020201367.tif 000003
【図２】
2020201367.tif 000004
【図３】
2020201367.tif 000005
【図４】
2020201367.tif 000006
【図５】
2020201367.tif 000007
【図６】
2020201367.tif 000008
【図７】
2020201367.tif 000009